(57)【要約】【課題】  映像作成端末で作成される静止画から容易な収録管理により動画コンテンツを作成編集する動画作成システム、および動画作成方法を提供する。【解決手段】  ビデオサーバ１は、予め動画のコンテンツファイルＧを、１画面毎の静止画ファイルをいくつか毎に集めたファイル群Ｆ１〜ＦＮからなる動画ファイルとして構成し、各ファイル群をダミーファイルにより記憶する。そして、各ファイル群Ｆ１〜ＦＮを作成する映像作成端末２（＃１〜＃ｍ）を割り付け、各映像作成端末２（＃１〜＃ｍ）が作成するファイル群を読み出すファイル要求コマンドを送信し、映像作成端末２（＃１〜＃ｍ）からこのコマンドに対応して、作成したファイル群Ｆ１〜ＦＮをビデオサーバ１に送り返されたファイル群Ｆ１〜ＦＮでダミーファイルを上書き、編集管理することによりコンテンツファイルＧを完成して収録する。【選択図】  図１
2008028438.tif 000002
【特許請求の範囲】
【請求項１】
少なくとも１台の映像作成を行う端末と、ビデオサーバと、前記端末とビデオサーバとを接続する通信手段とを備え、放送用の動画のコンテンツを作成する動画編集システムにおいて、
予め、動画のコンテンツの脚本に対応して自装置で作成する前記動画のシーンが割当てられ、前記動画のシーンを構築する１フレーム画面毎の静止画ファイルを作成したものを集めて前記割当に対応するファイル群としてメモリに記憶し、前記通信手段を介して前記割当てられたファイル群を要求するコマンドを前記ビデオサーバから受信した場合、その応答として当該ファイル群を前記メモリから読み出して、前記ビデオサーバへ送り返す端末と、
前記脚本に従って、予め所定の前記端末について前記割当てられるシーンに対応する第２のファイル群を設定して集成編集した仮の前記動画のコンテンツのファイルを自装置の記憶手段に記憶し、前記所定の端末へ当該端末が作成する前記ファイル群を要求するコマンドを前記通信手段を介して送信し、そのコマンドに前記応答して送り返された前記ファイル群を受信して前記記憶された前記第２のファイル群を書き換え記憶することにより前記動画のコンテンツを完成するビデオサーバとを
備えることを特徴とする動画編集システム。
【請求項２】
前記所定の端末毎に作成される前記ファイル群は、端末とファイルとの対応が照合出来るテーブルになって前記ビデオサーバの記憶手段で記憶されていることを特徴とする請求項１に記載の動画編集システム。
【請求項３】
前記ファイル群要求をするコマンドは、前記ファイル群に含まれる特定のファイルを要求するもので有ることを特徴とする請求項１に記載の動画編集システム。
【請求項４】
前記第２のファイル群は、ダミーで有ることを示す名称又は、記号が付与されていることを特徴とする請求項１に記載の動画編集システム。
【請求項５】
前記端末は、前記割り当てられたシーンを構築する静止画のファイルに対応するダミーのファイルを一旦、前記メモリにダミーであることを判別出来る名称、又は、記号を付与して書き込み第２のダミーのファイルとして記憶し、前記作成されたファイルにより、前記第２のダミーのファイルを上書きして記憶することを特徴とする請求項１に記載の動画編集システム。
【請求項６】
少なくとも１台の映像作成を行う端末と、ビデオサーバと、前記端末とビデオサーバとを接続する通信手段とを備え、放送用の動画のコンテンツを作成する動画編集システムの動画収録方法において、
前記端末は、
予め、動画のコンテンツの脚本に対応して自装置で作成する前記動画のシーンが割当てられ、前記動画のシーンを構築する１フレーム画面毎の静止画ファイルを作成したものを集めて前記割当に対応するファイル群としてメモリに記憶し、
前記通信手段を介して前記割当てられたファイル群を要求するコマンドを前記ビデオサーバから受信した場合、その応答として当該ファイル群を前記メモリから読み出して、前記ビデオサーバへ送り返し、
前記ビデオサーバは、
前記脚本に従って、予め所定の前記端末について前記割当てられるシーンに対応する第２のファイル群を設定して集成編集した仮の前記動画のコンテンツのファイルを自装置の記憶手段に記憶し、
前記所定の端末へ当該端末が作成する前記ファイル群を要求するコマンドを前記通信手段を介して送信し、そのコマンドに前記応答して送り返された前記ファイル群を受信して前記記憶された前記第２のファイル群を書き換え記憶することにより前記動画のコンテンツを完成する
ことを特徴とする動画編集システムの動画収録方法。
【請求項７】
前記所定の端末毎に作成される前記ファイル群は、端末とファイルとの対応が照合出来るテーブルになって前記ビデオサーバの記憶手段で記憶されていることを特徴とする請求項６に記載の動画編集システムの動画収録方法。
【請求項８】
前記ファイル群要求をするコマンドは、前記ファイル群に含まれる特定のファイルを要求するもので有ることを特徴とする請求項６に記載の動画編集システムの動画収録方法。
【請求項９】
前記第２のファイル群は、ダミーで有ることを示す名称又は、記号が付与されていることを特徴とする請求項６に記載の動画編集システムの動画収録方法。
【請求項１０】
前記端末は、前記割り当てられたシーンを構築する静止画のファイルに対応するダミーのファイルを一旦、前記メモリにダミーであることを判別出来る名称、又は、記号を付与して書き込み第２のダミーのファイルとして記憶し、前記作成されたファイルにより、前記第２のダミーのファイルを上書きして記憶することを特徴とする請求項６に記載の動画編集システムの動画収録方法。
【発明の詳細な説明】
【技術分野】
【０００１】
本発明は、放送に用いられる動画編集システム、および動画収録方法に関する。
【背景技術】
【０００２】
従来、放送に用いられるアニメーション等の動画は、ＶＴＲやＣＧ装置等の映像作成装置で動画のコンテンツのファイルが作成され、ビデオサーバが、映像作成装置から動画ファイルを記録媒体、または、通信手段により受取ることにより動画のファイルを収録している。動画の多くは、映像作成装置で作成されたＭＰＥＧフォーマットで形成されている。
【０００３】
またアニメーションや低速動画は、１画面毎に描出、または撮影された静止画を時系列に並べて編集することにより動画の映像ファイルを作成するので、ＭＰＥＧフォーマットの他にＪＰＥＧの様な静止画ファイルを複数集めて連続することによりＭＪＰＥＧ（モーションＪＰＥＧ）により動画表示をすることもある。
【０００４】
この様な静止画から動画コンテンツを作成するのに、映像の作成部から記憶部へ静止画データを送信しその静止画を時系列にして動画コンテンツのファイルとして収録する方法がある（例えば、特許文献１。）。しかし、映像の作成部と記憶部とが分離して遠隔設置され、通信ネットワーク等を介して記憶部であるビデオサーバへ静止画を送信する様な場合、特に複数の端末からの静止画をビデオサーバで動画にする編集を行う収録管理制御が困難な問題が有った。
【特許文献１】特開２００５−１０９６４８号公報  （第１０頁、第１図）
【発明の開示】
【発明が解決しようとする課題】
【０００５】
映像の作成部と記憶部とが分離して設置され、通信ネットワーク等を介して映像の収録（記憶）部であるビデオサーバへ静止画を送信する場合、端末からの静止画を受信するビデオサーバで動画にする編集を行う収録管理制御が困難な問題が有った。
【０００６】
本発明は上記問題を解決するためになされたもので、映像作成端末で作成される静止画から動画コンテンツを容易な収録管理により作成編集する動画作成システム、および動画作成方法を提供することを目的とする。
【課題を解決するための手段】
【０００７】
上記目的を達成するために、本発明の動画編集システムは、少なくとも１台の映像作成を行う端末と、ビデオサーバと、前記端末とビデオサーバとを接続する通信手段とを備え、放送用の動画のコンテンツを作成する動画編集システムにおいて、予め、動画のコンテンツの脚本に対応して自装置で作成する前記動画のシーンが割当てられ、前記動画のシーンを構築する１フレーム画面毎の静止画ファイルを作成したものを集めて前記割当に対応するファイル群としてメモリに記憶し、前記通信手段を介して前記割当てられたファイル群を要求するコマンドを前記ビデオサーバから受信した場合、その応答として当該ファイル群を前記メモリから読み出して、前記ビデオサーバへ送り返す端末と、前記脚本に従って、予め所定の前記端末について前記割当てられるシーンに対応する第２のファイル群を設定して集成編集した仮の前記動画のコンテンツのファイルを自装置の記憶手段に記憶し、前記所定の端末へ当該端末が作成する前記ファイル群を要求するコマンドを前記通信手段を介して送信し、そのコマンドに前記応答して送り返された前記ファイル群を受信して前記記憶された前記第２のファイル群を書き換え記憶することにより前記動画のコンテンツを完成するビデオサーバとを備えることを特徴とする。
【０００８】
また、本発明の動画編集システムの動画収録方法は、少なくとも１台の映像作成を行う端末と、ビデオサーバと、前記端末とビデオサーバとを接続する通信手段とを備え、放送用の動画のコンテンツを作成する動画編集システムの動画収録方法において、前記端末は、予め、動画のコンテンツの脚本に対応して自装置で作成する前記動画のシーンが割当てられ、前記動画のシーンを構築する１フレーム画面毎の静止画ファイルを作成したものを集めて前記割当に対応するファイル群としてメモリに記憶し、前記通信手段を介して前記割当てられたファイル群を要求するコマンドを前記ビデオサーバから受信した場合、その応答として当該ファイル群を前記メモリから読み出して、前記ビデオサーバへ送り返し、前記ビデオサーバは、前記脚本に従って、予め所定の前記端末について前記割当てられるシーンに対応する第２のファイル群を設定して集成編集した仮の前記動画のコンテンツのファイルを自装置の記憶手段に記憶し、前記所定の端末へ当該端末が作成する前記ファイル群を要求するコマンドを前記通信手段を介して送信し、そのコマンドに前記応答して送り返された前記ファイル群を受信して前記記憶された前記第２のファイル群を書き換え記憶することにより前記動画のコンテンツを完成することを特徴とする。
【発明の効果】
【０００９】
本発明によれば、映像作成端末で作成される静止画から動画コンテンツを容易な収録管理により作成編集する動画作成システム、および動画作成方法を提供することが出来る。
【発明を実施するための最良の形態】
【００１０】
以下、図面を参照して本発明の実施例を説明する。
【実施例】
【００１１】
図１は、本発明の実施例に係る動画作成システムの機能構成を示すブロック図である。
【００１２】
図１において動画作成システムは、ビデオサーバ１、少なくとも１台の映像作成端末（以下、端末と称する）２（＃１〜＃ｍ）と、ビデオサーバ１と端末２とを接続する通信ネットワーク３とを備えている。
【００１３】
ビデオサーバ１は、動画を構成する１画面毎の、例えば、ＪＰＥＧ静止画ファイル（ここでは、ｆ１〜ｆｎとする。）を集合したモーションＪＰＥＧ用のファイル群Ｆ（ここでは、Ｆ１とする。）にする。ビデオサーバ２は、各ファイルｆ１〜ｆの予め番号を付与したファイルとファイル群として記憶制御することにより動画コンテンツとしての収録管理をする。
【００１４】
即ち、ビデオサーバ１は、例えば、ファイル群Ｆ１を、それを作成する端末２（＃１）へ要求するコマンドを通信ネットワーク３を介して端末２（＃１）へ要求し、端末２（＃１）は、そのコマンドに対応して作成したファイル群Ｆ１（静止画ファイルｆ１〜ｆｎによって構成される）をネットワーク３を介してビデオサーバ１へ送り返す。そして、ビデオサーバ１はこれを他の端末２（＃２〜＃ｍ）との間で繰り返すことにより、ファイル群Ｆ１〜ＦＮからなる動画のコンテンツファイルＧを作成する。
【００１５】
図２は、図１におけるビデオサーバ１の内部構成を示す機能ブロック図である。  
図２において、ビデオサーバ１は、それぞれが内部バス等１Ｂで接続される通信Ｉ／Ｆ１１、ＣＰＵ１２、動画のコンテンツファイルを収録する記憶部１３と、映像の収録を制御するためのデータをオペレータが入出力するキーボード、スイッチやランプ、またディスプレイ等からなる入出力部１４とを備える。
【００１６】
通信Ｉ／Ｆ１１は、ビデオサーバ１と端末２との間で、ＣＰＵ１２が出力するコマンドや、記憶部１３が書込、又は読み出す静止画のファイルやファイル群を入出力するための通信インタフェースであって、例えば、ＴＣＰ／ＩＰ手順に従う信号送受信手順や物理インタフェースをもつ。
【００１７】
図３は、図１における端末２の内部構成を示す機能ブロック図である。  
図３において、端末２は、それぞれが内部バス等２Ｂで接続される通信Ｉ／Ｆ２１、ＣＰＵ２２、メモリ２３と、動画のコンテンツファイルの構成の一部となる１フレーム毎の静止画を作成する画像作成部２４と、映像の収録を制御するためのデータをオペレータが入出力するキーボード、スイッチやランプ、またディスプレイ等からなる入出力部２５とを備える。
【００１８】
通信Ｉ／Ｆ２１は、ビデオサーバ１と端末２との間で、ＣＰＵ２２が出力するコマンドや、メモリ２３が書込、又は読み出す静止画のファイルやファイル群を入出力するための通信インタフェースであって、例えば、ＴＣＰ／ＩＰ手順に従う信号送受信手順や物理インタフェースをもつ。
【００１９】
画像作成部２４は、例えば、カメラの様な撮影装置であるか、または、キーボード、マウスとディスプレイ等から構成されるグラフィック作成装置である。画像作成部２４が作成した静止画のファイルｆ１〜ｆｎは、一度メモリ２３に書込記憶され、更にＣＰＵ２２の制御により、読み出されてビデオサーバ１へ送信される。
【００２０】
なお、画像作成部（カメラ、又はグラフィック作成装置）２４のグラフィック作成に関わる制御処理は、ＣＰＵ２２が兼ねるものであっても良い。また、画像作成部２４が、通信Ｉ／Ｆ２１を備えるパーソナルコンピュータのような汎用の情報処理装置であって、端末２を兼ねるものであっても良く、入出力部２５は、そのパーソナルコンピュータのキーボードやディスプレイなどの入出力手段による物でも良い。
【００２１】
さて、本発明による動画作成システムで、端末２がアニメーションを作成する場合を例に、動画作成システムの各構成の動作を以下に説明する。  
アニメーションは、予め作成された脚本に従って、いくつかのカット（シーン）が設定される。ビデオサーバ１は、シーン毎に例えば、動画ファイル群Ｆ１〜ＦＮを準備し、各ファイル群を編集することにより１つのストーリーの動画コンテンツファイルＧを作成する。
【００２２】
図４は、コンテンツファイルＧの構成の概念を説明する図である。  
図４において、コンテンツファイルＧは、いくつかのシーン毎に準備される動画ファイル群Ｆ１〜ＦＮで構成される。そして各ファイル群Ｆ１〜ＦＮは、ファイル群Ｆ１の様にファイルｆ１〜ｆｎの様に複数のファイルから構成される。ここで各ファイルは、例えばＪＰＥＧフォーマットで作成される静止画ファイルである。そのほか、ＴＩＦＦフォーマットなどを用いても良い。
【００２３】
ビデオサーバ１は、動画ファイルのコンテンツファイルＧの作成時に仮想ファイル、又は、ダミーファイルを記憶部１３に設定し、後に端末Ｔで作成された各ファイル群Ｆ１〜ＦＮを順次受信、書込む管理をすることにより全体のコンテンツファイルＧを完成する。
【００２４】
以下では説明を簡略にするため、２秒間にわたるテレビ放送用の番組タイトルのシーンで１つのファイル群Ｆ１を端末３（＃１）で作成する場合を想定して説明する。
【００２５】
図５は、本発明の動画編集システムの動画収録の手順を示すフローチャートである。  
図５において、ビデオサーバ１のオペレータから、ビデオサーバ１の入出力部１４を介してコンテンツファイルＧの収録準備データが入力される。即ち、番組のコンテンツファイルＧ名称として「ＢＢＴＴ」、また、番組タイトルを最初に放送する場合には、例えば、「ＢＢＴＴ／ＸＸ１・２ｓ」の様に番組タイトルを構成するファイル群の名称と、放送時間が２秒間で有ることを示すデータが入力される（ステップｓ−１）。
【００２６】
ＣＰＵ１２は、入力されたデータを読み取り、２秒間のコンテンツファイル「ＢＢＴＴ／ＸＸ１」をファイル群Ｆ１として管理する様に内部のファイル番号を付与する。つまりＣＰＵ１２は、ファイル群Ｆ１は２秒間なのでテレビ画面が１秒間３０フレームで構成されることから、１秒間あたり静止画３０画面の２倍の６０枚の静止画面がファイル群として準備されると計算し（ステップｓ−２）、ファイル群Ｆ１の構成をファイルｆ１〜ｆ６０まで時系列に並ぶファイル設定を行う（ステップｓ−３）。
【００２７】
このファイル構成は、ＣＰＵ１２のワークメモリに記憶されるが、ＣＰＵ１２は、記憶部１３に無画像等のダミーのファイルｆ１〜ｆ６０からなるファイル群Ｆ１を、「ＢＢＴＴ／ＸＸ１／ｆ１〜ｆｎ」の様に画面毎にファイル管理して記憶部１３に書き込み記憶する（ステップｓ−４）。
【００２８】
一方、コンテンツファイルをどの端末２で作成するかは、予め、別に準備される作業割り当て等により決定されている。例えば、端末２（＃１）が作成する場合、ビデオサーバ１のオペレータから、入力部１４から更にコンテンツファイル「ＢＢＴＴ／ＸＸ１」を端末２（＃１）で作成することをビデオサーバ１で記憶して管理するために、例えば、「ＢＢＴＴ／ＸＸ１＠＃１」が入力される（ステップｓ−５）。
【００２９】
どの端末２へどのコンテンツファイルを作成するかを入力する方法は、各端末２毎に割り付けられたコンテンツファイルの名称が入出力部１４のキーボード等で入力される。または、他の方法として、入出力部１４の記憶媒体入出力手段等、もしくは、図示されない管理装置から、通信ネットワーク３を介して別途各端末２への割付を定めたデータのファイルによってビデオサーバ１へ入力される。
【００３０】
ビデオサーバ１のＣＰＵ１２は、各ファイル群Ｆ１〜ＦＮがどの端末２（＃１〜＃ｎ）で作成されるかを照合するテーブルＴを作成してワークメモリ、又は記憶部１３に書き込み記憶する（ステップｓ−６）。
【００３１】
一方、端末２では、端末オペレータが予め、所要のＣＧ等の作成（描画）ソフトウェアが組み込まれているグラフィック作成装置２４に所要の入力操作を行うことによりアニメーションが作画される。
【００３２】
各端末２のオペレータへは、ビデオサーバ１のテーブルＴに記憶されたデータと対応して文書等の手段により「ＢＢＴＴ／ＸＸ１」を構成するファイル群Ｆ１（ｆ１〜ｆ６０）を作成する割付情報が伝えられている。
【００３３】
図示されないグラフィック作成装置２４の入力手段により各端末オペレータから、例えば、ファイル群Ｆ１のファイルｆ１〜ｆ６０を作成するリストデータが入力される（ステップｓ−ｔ１）。そして、内部バス２Ｂを介してその作成情報を受信したＣＰＵ２２は、自身のワークメモリか、又はメモリ２３へメモリエリヤを確保する等、ファイルｆ１〜ｆ６０を記憶する準備をする（ステップｓ−ｔ２）。ここで、メモリエリヤを確保するために仮想（ダミー）のファイルをファイルｆ１ｄ〜ｆ６０ｄの様にダミーのファイル名で記憶するようにしても良い。
【００３４】
なお、ビデオサーバ１のオペレータが、アニメーションを作成する端末２（＃１）を指定する入力を行った場合、ビデオサーバ１のＣＰＵ１２は、ファイル群Ｆ１（ｆ１〜ｆ６０）を作成する情報をネットワーク３を介して端末２へ送信し、端末２のＣＰＵ２２は、このファイル作成情報をネットワーク３と通信Ｉ／Ｆ２１とを介して受信すると、端末オペレータの変わりに、ＣＰＵ２２のワークメモリか、又はメモリ２３へファイルｆ１〜ｆ６０の記憶準備をする様にしても良い。
【００３５】
端末２（＃１）のでは、これらの準備が終了後、端末オペレータの入力作業によりビデオサーバ１で記憶されるファイルｆ１〜ｆ６０に対応するように１フレーム毎の静止画が作成され、作成された静止画は、順次、表示される時系列に対応してｆ１〜ｆ６０のファイル番号が付与されてメモリ２３に書き込まれて記憶される（ステップｓ−ｔ４）。
【００３６】
この時、ダミーのファイルを上書きすれば、ファイルｆ１ｄがファイルｆ１の様に名称また記号が変わるので、後からファイルを読みだした時にそのファイルが、作成済みの静止画のファイルか、それともダミーかが判定出来る。
【００３７】
さて、ビデオサーバ１では、放送用コンテンツの編集が行われ、ビデオサーバ１のオペレータから番組タイトルのコンテンツを端末２（＃１）から収録する時になると、ファイル群Ｆ１を要求する、例えば、「ＢＢＴＴ／ＸＸ１：ｆ１−ｆ６０」の様なファイル要求コマンドが入出力部１４から入力される（ステップｓ−７）。そして、ＣＰＵ１２は、テーブルＴを参照してファイルｆ１−ｆ６０を作成する端末２（＃１）を探しだし、ファイル要求コマンドが通信ネットワーク３を介して端末２（＃１）へ送信される（ステップｓ−８）。
【００３８】
ここで、ビデオサーバ１のＣＰＵ１２は、ファイル要求コマンドが入力されると、そのファイルデータを作成する端末２（ここでは、＃１）をテーブルＴを参照することによって端末２（＃１）へそのコマンドを送信する制御を通信インタフェース１１へ行う。
【００３９】
端末２（＃１）のＣＰＵ２２は、通信ネットワーク３と通信Ｉ／Ｆ２１とを介してそのファイル要求コマンドを受信すると（ステップｓ−ｔ５）、レスポンス（応答）としてメモリ２３からファイルｆ１〜ｆ６０を読み出し、ファイル群Ｆ１を名称「ＢＢＴＴ／ＸＸ１」にしてビデオサーバ１へ送り返す（ステップｓ−ｔ６）。
【００４０】
もし、ファイル要求コマンドを受信したときに、まだ当該ファイルが未作成で有れば、メモリ２３に記憶しているダミーのファイル、例えば、ｆ３０ｄ．．をそのままダミーのファイルの名称で送り返す。
【００４１】
なお、ＣＰＵ１２は、記憶部１３に先に述べたダミーのファイルが書き込まれるステップｓ−４における処理において、端末２で行ったのと同様に、ファイルｆ１ｄの様に、ダミーファイル名称又は、ダミーを示すマーク等を付与することにより、記憶部１３に記憶しているファイルが、ダミーかそれとも完成されたファイルであるかを識別できるようにしても良い。
【００４２】
ビデオサーバ１では、通信ネットワーク３を介してファイル群Ｆ１を端末２（＃１）から受信し、記憶部１３に書き込み記憶する（ステップｓ−９）。そして、各端末２（＃２〜＃ｍ）からも同様にファイル受信を行い、ファイル群Ｆ１〜ＦＮを上書きして記憶する編集を行いコンテンツファイルＧの収録を完成する（ステップｓ−１０）。
【００４３】
言い換えれば、ＣＰＵ１２は、端末２から受信したファイルを記憶部１３に書き込む際にダミーファイルを上書き、及びリネームして消去し、完成ファイルを記憶する。もし、端末２がまだ静止画を作成していない場合は、端末２から受信するダミーファイルによって繰り返して上書きされる。
【００４４】
その後、ビデオサーバのオペレータが入出力部１４から検索コマンドを入力することによりＣＰＵ１２は、記憶部１３で記憶しているファイルにダミーが有るか無いかを検索して調べ、コンテンツの完成度合いを知ることが出来る。
【００４５】
ビデオサーバ１は、この処理手順を各ファイル群Ｆ２〜ＦＮにも適用することによりコンテンツファイルＧを完成する。また、上記説明では、ビデオサーバ１と端末２との間においてファイル群単位で書き込み記憶処理を行っているが、各ファイル群の中の１つのファイル単位、例えば、ファイル要求コマンドを「ＢＢＴＴ／ＸＸ１：ｆ５」としてファイルｆ５の１つの特定ファイルに上記処理を行っても良い。
【００４６】
この様な、ファイル単位でファイル伝送を行うと、シーンの修正が細かな単位で行えることと伝送時間が短くて済み、更にファイル群として伝送する場合に比べ端末２、ビデオサーバ１で送受信するファイルのバッファ処理が軽減できる効果がある。
【００４７】
また、端末２は、アニメーション用のＣＧ静止画を作成する場合を例に説明したが、ＣＧ静止画ではなく、カメラ等で撮影されるＪＰＥＧや、ＴＩＦＦ等の静止画を作成するもので、例えば、定時間、又は定時刻にカメラで写真撮影を行うもので有っても良い。
【００４８】
その場合、撮影される画像は、前出のｆ１〜ｆｎに対応するような対照関係がビデオサーバ１と端末２の間でとられており、ビデオサーバ１は、所望の時刻の撮影された画像データを指定して端末２から受信することが出来る。そして、撮影間隔が圧縮された観察映像に編集することも可能になる。
【００４９】
以上説明した如く、本発明によれば、ビデオサーバ１が動画を構成する静止画ファイルを作成する端末を一元管理して、容易に動画ファイルコンテンツを作成することができ、ファイル個々についての詳細な管理をすることが出来る。
【００５０】
また、端末にファイル要求コマンドを送信してファイルを受信するので、端末から一度に集中してアクセスされることも無く、ネットワークの伝送帯域が狭い場合でも、順番に端末からネットワーク性能に応じてファイルを確実に取得してコンテンツを編集出来る効果がある。
【図面の簡単な説明】
【００５１】
【図１】本発明の実施例に係わる動画作成システムの機能構成を示すブロック図。
【図２】ビデオサーバの内部構成を示す機能ブロック図。
【図３】端末の内部構成を示す機能ブロック図。
【図４】コンテンツファイルＧの構成の概念を説明する図。
【図５】本発明の動画編集システムの動画収録の手順を示すフローチャート。
【符号の説明】
【００５２】
１  ビデオサーバ
１１  通信ＩＦ
１２  ＣＰＵ
１３  記憶部
１４  入出力部
２  端末（映像作成端末）
２１  通信ＩＦ
２２  ＣＰＵ
２３  メモリ
２４  画像作成部
２５  入出力部
３  通信ネットワーク
Ｇ  コンテンツファイル
Ｔ  テーブル
【図１】
2008028438.tif 000003
【図２】
2008028438.tif 000004
【図３】
2008028438.tif 000005
【図４】
2008028438.tif 000006
【図５】
2008028438.tif 000007